(57)【特許請求の範囲】
【請求項１】
測量用三脚の台座の中央部に設けられた中空円筒部の中空内に一部が配置され、前記中空内を介して目視される測量基点との位置合わせを行う測量用三脚の据付器具であって、  前記中空円筒部に着脱するための着脱手段と、前記着脱手段から複数の吊り下げ部材を介して垂下される位置合わせ部材とを備え、
前記着脱手段は、前記中空円筒部の上端に嵌合するキャップ部材からなり、その中央部に開口部を有し、前記位置合わせ部材は、中央に目印部を有する板状部材で構成されていることを特徴とする測量用三脚の据付器具。
【請求項２】
測量用三脚の台座の中央部に設けられた中空円筒部の中空内に一部が配置され、前記中空内を介して目視される測量基点との位置合わせを行う測量用三脚の据付器具であって、  前記中空円筒部に着脱するための着脱手段と、前記着脱手段から複数の吊り下げ部材を介して垂下される位置合わせ部材とを備え、
前記着脱手段は、前記中空円筒部内に圧接される筒状板バネ部材からなり、前記位置合わせ部材は、中央に目印部を有する板状部材で構成されていることを特徴とする測量用三脚の据付器具。
【請求項３】
前記位置合わせ部材の中央に設けられた目印部は、開口で構成されていることを特徴とする請求項１又は２に記載の測量用三脚の据付器具。
【請求項４】
請求項１乃至３のいずれかに記載の据付器具を備えたことを特徴する測量用三脚。
【発明の詳細な説明】
【技術分野】
【０００１】
本発明は、測量用三脚を基点の真上に据付けるための器具である。
【背景技術】
【０００２】
測量するためには、測量機を測点の真上に固定しなければならない。そのためには、測量機を載せる測量用三脚上部の台座を基点の真上に据付ける必要がある。
従来は、測量用三脚に取り付けた錘球によって測点の概ね真上に測量用三脚を仮置きし、測量機を台座に取り付けた後、脚を地面に踏み込んだ後、脚の伸縮により再調整していた。
従って、測量開始までに時間を要して作業効率を著しく低下させ、また、測量機取り付け後再踏み込みなどによる衝撃は、精密機器である測量機に悪影響を与える。  
【発明の概要】
【発明が解決しようとする課題】
【０００３】
本発明は、測量用三脚を据付ける時間の短縮と測量機の衝撃の軽減を目的とする器具である。
【課題を解決するための手段】
【０００４】
本発明の測量用三脚据付器具は、測量用三脚の台座の中央部に設けられた中空円筒部の中空内に一部が配置され、前記中空内を介して目視される測量基点との位置合わせを行う測量用三脚の求心補助具であって、前記中空円筒部に着脱するための着脱手段と、前記固定手段から複数の吊り下げ部材を介して垂下される位置合わせ部材とを備えたことを特徴とする。
【発明の効果】
【０００５】
本発明の器具には、次のような効果がある。
技術者が測量用三脚の据付に慣れているか否かに関わらず短時間で据付することができる。
測量用三脚の脚を踏み込み本発明の器具により正確に据付した後に測量機を台座1にセットするため測量機に大きな衝撃を与える事はない。
【図面の簡単な説明】
【０００６】
【図１】本発明の第１の実施形態による据付器具を取り付けた測量用三脚の上方からの斜視図である。
【図２】図１の測量用三脚の台座部分の拡大斜視図である。
【図３】図１の測量用三脚の下方からの拡大斜視図である。
【図４】本発明の第１の実施形態による測量用三脚の据付器具を示す図である。
【図５】本発明の第２の実施形態による測量用三脚の据付器具を取り付けた測量用三脚の上方からの斜視図である。
【図６】図５の測量用三脚の台座部分の拡大斜視図である。
【図７】図５の測量用三脚の下方からの拡大斜視図である。
【図８】本発明の第２の実施形態による測量用三脚の据付器具を示す図である。
【発明を実施するための形態】
【０００７】
本発明の測量用三脚据付器具は、次のような構成である。
図１〜図４（測量用三脚の測量機取り付けネジ部（中空円筒部）３の直径が外径５/８インチの場合）に示される第１実施形態では、
金属バネ金具４と下部透明円板（位置合わせ部材）５と、上記金属バネ金具４の下端と上記下部透明円板５とを連結するチェーン６とチェーンの縺れを防ぐパイプ７（吊り下げ部材）を備えたことを特徴とする。
図５〜図８（測量用三脚の測量機取り付けネジ部（中空円筒部）１０の直径が外径３５ｍｍの場合）に示される第２実施形態では、
上部透明円板9の中心と下部透明円板（位置合わせ部材）５とそれを連結するチェーン６とチェーンの縺れを防ぐパイプ７（吊り下げ部材）を備えたことを特徴とする。
以下、本発明の実施形態による据付器具を、図を用いて詳細に説明する。
【実施例１】
【０００８】
以下、本発明の第１実施形態による据付器具を、図１〜図４を用いて詳細に説明する。
測量用三脚の台座１の中心にある金属バネ金具（筒状板バネ部材）４の穴を通して測量基点８を確認する。測量基点８と下部透明板5の中心の穴とがズレている場合は測量用三脚全体をその幅だけ平行移動して、金属バネ金具４の穴と下部透明板（位置合わせ部材）５の中心の穴と測量基点８が垂直線状に一致するよう仮置きし、石突（脚の先端）を踏んで脚をしっかり地面に固定する。金属バネ金具４より覗きながら脚の伸縮により再度３点を垂直線状に一致させれば測量用三脚の据え付けが完了する。
後は、測量機を載せて取り付け通常の微調整を行えば観測できる状態になる。
この手順によれば、測量機を測量用三脚に載せてからの測量用三脚の大きな移動や脚の踏込みはなくなる。
【実施例２】
【０００９】
次に、本発明の第２実施形態による据付器具を、図５〜図８を用いて詳細に説明する。測量用三脚の台座１の中心にある上部透明円板（キャップ部材）９の穴を通して測量基点８を確認する。測量基点８と下部透明板5の中心の穴とが連れている場合は測量用三脚全体をその量だけ平行移動して、上部透明円板９の穴（開口部）と下部透明板５の中心の穴（目印部、開口）と測量基点８が垂直線状に一致するよう仮置きし、石突（脚の先端）を踏んで脚をしっかり地面に固定する。上部透明円板９より覗きながら脚の伸縮により再度3点を垂直線状に一致させれば測量用三脚の据え付けが完了する。
その後は、実施例１の手順と同じである。
【００１０】
上述の各実施形態では、下部透明板５の中心の穴（開口）を位置合わせ用の目印部として用いたが、開口ではない目印を設けるようにしても良い。
【産業上の利用可能性】
【００１１】
測量機取り付けネジ部に本発明の器具を取り付ける事により短時間に測量用三脚を据付でき、また、測量機取り付け後は微調整ですむため、測量用三脚の移動や脚の再踏込みによる測量機への衝撃を軽減する事が出来る。
【符号の説明】
【００１２】
１：台座。
２：測量用三脚の脚。
３：測量機に取り付けるための本体取り付けネジ部（中空円筒部）（外径５/８インチ）。
４：金属バネ金具。
５：中央に上から測点８を覗くための穴があいている下部透明円板。
６：重力のため自然に垂直に下がるチェーン。
７：チェーンを保護し絡まらないためのパイプ。
８：測量のための基点。
９：中央に上から測点８を覗くための穴があいている上部透明円板。
１０：測量機に取り付けるための本体取り付けネジ部（中空円筒部）（外径３５ｍｍ）。
１１：目。
１２：測量杭。
【要約】      （修正有）【課題】測量用三脚を据付ける時間の短縮と測量機の衝撃の軽減をする据付器具を提供する。【解決手段】量用三脚の台座の中央部に設けられた中空円筒部に着脱するための着脱手段と、着脱手段から複数の吊り下げ部材を介して垂下される位置合わせ部材とを備え、着脱手段は、中空円筒部の上端に嵌合するキャップ部材からなり、その中央部に開口部を有し、位置合わせ部材は、中央に目印部を有する円盤状部材で構成され、複数の吊り下げ部材は、３本の鎖状部材からなる。【選択図】図８【図１】
0005699366.tif 000002
【図２】
0005699366.tif 000003
【図３】
0005699366.tif 000004
【図４】
0005699366.tif 000005
【図５】
0005699366.tif 000006
【図６】
0005699366.tif 000007
【図７】
0005699366.tif 000008
【図８】
0005699366.tif 000009